(57)【要約】【課題】始業・終業時間の異なる短時間労働者の１日の労働時間を短時間で容易に集計できるタイムカード集計用計算装置を提供すること。【解決手段】簡易型計算装置１は、時刻１１を表示した本体部１０と、本体部１０の第１の溝部を摺動する第１のスライド部材２０と第２の溝部を摺動する第２のスライド部材３０とを備える。第１のスライド部材２０には、始業指示目盛り２３と所定の間隔で記された労働時間２４を表示している。第２のスライド部材３０には、終業指示目盛り３１と労働時間２４の一つを表示可能な表示窓３２を表示している。出勤時を示す始業指示目盛り２３を本体部１０の時刻１１に合わせ、退出時を示す終業指示目盛り３１を本体部１０の時刻１１に合わせることによって、表示窓３２に現れた労働時間２４を記録する。【選択図】図１
2008027212.tif 000002
【特許請求の範囲】
【請求項１】
表面に一定間隔で時刻が表示された本体部と、
前記本体部に摺動可能に配設されて始業指示目盛りが表示されるとともに一定間隔の労働時間が順に表示された第１のスライド部材と、
前記本体部に摺動可能に配設されて終業指示目盛りが表示されるとともに前記労働時間の１つを表示可能な表示窓を備える第２のスライド部材と、を備え、
前記本体部には、前記第１のスライド部材の始業指示目盛りを表示するための第１の開口窓と、前記第２のスライド部材の終業指示目盛りを表示するための第２の開口窓が形成され、前記第２のスライド部材が、前記第１のスライド部材の表面側に重合して配置されていることを特徴とするタイムカード集計用計算装置。
【請求項２】
前記本体部が、前記第１のスライド部材が摺動する第１の溝部と、前記第２のスライド部材が摺動する第２の溝部を備えていることを特徴とする請求項１記載のタイムカード集計用計算装置。
【請求項３】
前記本体部に表示された時刻には、休憩時間を０とする時刻が表示されていることを特徴とする請求項１又は２記載のタイムカード集計用計算装置。
【請求項４】
前記本体部が矩形板状に形成され、前記第１のスライド部材と前記第２のスライド部材とが縦方向にスライド可能に配設されていることを特徴とする請求項１，２又は３のいずれかに記載のタイムカード集計用計算装置。
【請求項５】
前記本体部、前記第１のスライド部材、前記第２のスライド部材が円板状に形成され、前記第１のスライド部材及び前記第２のスライド部材が前記本体部に対して回動可能に配設されていることを特徴とする請求項１記載のタイムカード集計用計算装置。
【発明の詳細な説明】
【技術分野】
【０００１】
本発明はパートタイマーやアルバイト等の短時間労働者の労働時間を簡単に集計できるタイムカード集計用計算装置に関する。
【背景技術】
【０００２】
一般に、正社員の労働時間を把握する場合には、市販のタイムカードを刻印することによって容易に集計することができる。しかし、パートタイマーやアルバイト等の短時間労働者の労働時間を集計する場合、始業時刻と終業時刻とを刻印するものの、休憩時間の設定や各人の始業時刻と終業時刻とが異なることによって、所定のタイムカードでは１日の労働時間が統一的に集計できないものがある。この場合、１日の労働時間を別に計算する必要があり、多勢の短時間労働者の毎月の労働時間を集計するには手間がかかることとなっていた。このため、パートタイマーやアルバイト等の労働者の１日の労働時間を一目でわかるような簡易型計算装置が望まれていた。
【０００３】
従来における簡易型計算装置は、成人層と低年齢層の肥満とやせを数値的に即知し、且つ標準値に対する割合を求めた計算尺として特許文献１によって知られている。これによると簡易型計算尺は、身長が目盛られた固定尺と体重とＢＭＩが目盛られるとともに固定尺に対して摺動可能な滑尺と＋−％目盛りが目盛られたカーソルとを有して構成されている。そして、測定者の身長と基準となるＢＭＩを合わせることによって、即座にその差を確認することができる。
【０００４】
また、特許文献２では、団体旅行時における、現在時刻から集合時間までの所要時間を求めるための所要時間算出装置が示されている。これによると、矩形横長状の本体の上部に、時間を表す時刻・時スケールが配置され、その下方に、時間を指示する時刻・時指示用スライダが摺動可能に配置され、本体の下部には分を表す時刻・分スケールが配置されその下方に分を指示する時刻・分指示用スライダが摺動可能に配置されている。また、時刻・分指示用スライダの範囲内に減算表示部が色別されて表示されている。そして、時刻・時指示用スライダの時指示部及び時刻・分指示用スライダの分支持部をそれぞれのスケールに合わせることによって、現在時刻から集合時刻までの所要時間を表すことができる。
【特許文献１】実開平６−５６８１５号公報
【特許文献２】特開平１１−１４９３２４号公報
【発明の開示】
【発明が解決しようとする課題】
【０００５】
しかし、前述の特許文献１、２で示されている簡易型計算尺は、それぞれの目的に応じて構成されるものであるから、例えば、パートタイマーやアルバイト等の短時間労働者の労働時間を集計するものには、そのまま使用することはできない。そのため、始業時間や終業時間の不規則な短時間労働者を対象にして１日の労働時間を簡易的に集計できる専用の簡易型計算尺が望まれていた。
【課題を解決するための手段】
【０００６】
本発明は、上述の課題を解決するものであり、始業時間と終業時間が不規則であっても容易な操作で一目で集計できるタイムカード集計用計算装置を提供することを目的とする。そのために、本発明に係るタイムカード集計用計算装置は、以下のように構成するものである。すなわち、
請求項１記載の発明では、表面に一定間隔で時刻が表示された本体部と、前記本体部に摺動可能に配設されて始業指示目盛りが表示されるとともに一定間隔の労働時間が順に表示された第１のスライド部材と、前記本体部に摺動可能に配設されて終業指示目盛りが表示されるとともに前記労働時間の１つを表示可能な表示窓を備える第２のスライド部材と、を備え、前記本体部には、前記第１のスライド部材の始業指示目盛りを表示するための第１の開口窓と、前記第２のスライド部材の終業指示目盛りを表示するための第２の開口窓が形成され、前記第２のスライド部材が、前記第１のスライド部材の表面側に重合して配置されていることを特徴とするものである。
【０００７】
請求項２記載の発明では、前記本体部が、前記第１のスライド部材が摺動する第１の溝部と、前記第２のスライド部材が摺動する第２の溝部を備えている前記本体部が、前記第１のスライド部材が摺動する第１の溝部と、前記第２のスライド部材が摺動する第２の溝部を備えていることを特徴としている。
【０００８】
請求項３記載の発明では、前記本体部に表示された時刻には、休憩時間を０とする時刻が表示されていることを特徴としている。
【０００９】
請求項４記載の発明では、前記本体部が矩形板状に形成され、前記第１のスライド部材と前記第２のスライド部材とが縦方向にスライド可能に配設されていることを特徴とするものである。
【００１０】
請求項５記載の発明では、前記本体部、前記第１のスライド部材、前記第２のスライド部材が円板状に形成され、前記第１のスライド部材及び前記第２のスライド部材が前記本体部に対して回動可能に配設されていることを特徴としている。
【発明の効果】
【００１１】
本発明によれば、本体部には一定間隔で記載された時刻を示す数字が表示されている。第１のスライド部には一方で始業指示目盛りが表示され、他方で一定間隔の労働時間が表示されている。第２のスライド部材には、終業指示目盛りと表示窓が形成されている。第１のスライド部材を本体部の第１の開口窓に沿って移動させて始業指示目盛りを本体部に表示された時刻に合わせる。その後、第２のスライド部材を本体部の第２の開口窓に沿って移動させて終業指示目盛りを本体部に表示された時刻にあわせる。すると、第２のスライド部材に形成された表示窓に１日の労働時間を表す数字が表示される。
【００１２】
このように、本発明のタイムカード集計用計算装置では、パートタイマーやアルバイト等の短時間労働者の１日の労働時間を集計する場合に、始業時刻と終業時刻が異なるものであっても簡単な操作で即座に労働時間を把握することができ、集計作業を大幅に短縮することができる。
【００１３】
また、第１のスライド部材と第２のスライド部材が本体部に形成された第１の溝部と第２の溝部とをそれぞれ摺動するから、各溝部が各スライド部材の摺動ガイドを形成することとなって、第１のスライド部材と第２のスライド部材とを安定した操作で摺動することができる。
【００１４】
さらに、始業時刻と終業時刻時間との間に休憩時間があっても、本体部に表示される時刻が休憩時間を０時間に設定することから、第１のスライド部材に表示する労働時間を一定間隔に設定することができ、正確な労働時間を把握することができる。
【発明を実施するための最良の形態】
【００１５】
次に本発明のタイムカード集計用計算装置の一形態を図面に基づいて説明する。
【００１６】
タイムカード集計用計算装置（以下、簡易型計算装置という。）１は、始業時刻と終業時刻の異なるそれぞれの短時間労働者の１日の労働時間を短時間で計算するものである。
【００１７】
実施形態による簡易計算装置１は、図１に示すように、内部に長手方向に溝部を有する矩形板状の本体部１０と、本体部１０の溝部に挿通して縦方向に摺動可能な第１のスライド部材２０と、第１のスライド部材２０の表面側に重ね合わせるとともに本体部１０の溝部に挿通して縦方向に摺動可能な第２のスライド部材３０とを備えて構成されている。
【００１８】
本体部１０には、図２に示すように、一定間隔で縦方向に記した１日分の時刻１１が表示されているとともに、時刻１１を間にして一方の側に設けられたた第１の開口窓１２と、他方の側に設けられた第２の開口窓１３とが形成されている。時刻１１は、８．２５〜１６．７５までの時間が記されているとともに下２桁が１００進法の２５単位間隔で表示されている。そのため、分単位で表す場合は１５分間隔となる。時刻１１を示す各数字の左右に対向する位置には始業側目盛り１１１と終業側目盛り１１２が形成されている。
【００１９】
第１の開口窓１２と第２の開口窓１３とは、いずれも図２における上下方向において時刻１１が表示された部位より長く形成されている。
【００２０】
また、本体部１０に形成された溝部は、図３に示すように、第１のスライド部材２０が挿通される第１の溝部１４と第２のスライド部材２０が挿通される第２の溝部１５とで形成されている。第１の溝部１４は本体部１０の第１の開口窓１２と第２の開口窓１３とを含む幅を有して形成され、第２の溝部１５は第２の開口窓１３の幅と略同一かあるいは僅かに広く形成されている。さらに第２の溝部１５は第１の溝部１４に対して表面側（図３における下面側）に第１の溝部１４と連接することなく形成されている。本体部１０に第１の溝部１４及び第２の溝部１５を形成することによって、第１の溝部１４は第１のスライド部材２０の摺動ガイドとなり、第２の溝部１５は第２のスライド部材３０の摺動ガイドとなるから、第１のスライド部材２０及び第２のスライド部材３０をガタツキなく安定して摺動させることができる。
【００２１】
第１のスライド部材２０は、図４に示すように、長尺部２１と短尺部２２とを有して横凸状に形成され、長尺部２１の左端上部に「始業」の文字が表示されているとともに始業を示す始業指示目盛り２３が横方向に向かって１本形成されている。短尺部２２の右端部には、１日の労働時間２４が縦方向に順に並列して表示されている。この労働時間２４は０．２５〜７．７５までの労働時間が記されていて、この数字も下２桁は１００進法の２５単位間隔で表示されている。
【００２２】
第１のスライド部材２０は、本体部１０の第１の溝部１４に挿通されるとともに、長尺部２１に表示された「始業」の文字と始業指示目盛り２３は、本体部１０の第１の開口窓１２に沿って表示される位置であり、第１のスライド部材２０を本体部１０に組み込んだ際に現れる位置にある。短尺部２２に表示された１日の労働時間２４は、本体部１０の第２の開口窓１３に沿って配置されている。この労働時間２４は第２のスライド部材３０によって１数字を除いて隠されることになる。
【００２３】
第２のスライド部材３０は、図５に示すように、縦方向に細長状に形成され下部に「終業」の文字が記されているとともに終業を示す終業指示目盛り３１と、終業指示目盛り３１の端部に形成された表示窓３２とを有している。表示窓３２の上部には「労働時間」の文字が記されている。
【００２４】
第２のスライド部材３０は、第２の溝部１５に挿通されるとともに、第１のスライド部材２０の表面側に重合する位置にあって第１のスライド部材２０に記されている１日の労働時間２４を隠すように第２の開口窓１３上に現れる。但し表示窓３２は、上記の労働時間２４の１数字を表示できる位置に形成されている。
【００２５】
次に、上述のように構成された第１の形態の簡易型計算装置１の使用方法について説明する。集計担当者は、各短時間労働者が始業時刻と終業時刻とを刻印したタイムカードを集合させている。そして、タイムカードを見ながら１日の労働時間を計算して１ヶ月の集計を行う。
【００２６】
１日の労働時間を計算する場合、簡易型計算装置１を使用してタイムカードに刻印された１日ごとの始業時刻と終業時刻を設定する。まず、第１のスライド部材２０を本体部１０の第１の溝部１４内で摺動させて、第１のスライド部材２０に記されている始業指示目盛り２３を、出勤時に対応する始業側目盛り１１１に合わせる。次に第２のスライド部材３０を本体部１０の第２の溝部１５内で摺動させて、第２のスライド部材３０に記されている終業指示目盛り３１を退出時に対応する終業側目盛り１１２に合わせる。すると、第２のスライド部材３０に形成された表示窓３２には選択された１つの数字が現れる。この数字は、１日の労働時間を現わすことになるから、その数字を別の用紙に記録する。同様に１か月分の労働時間を記録してその合計を計算する。
【００２７】
なお、１日の労働時間を表示する際、１日の休憩時間（特に昼食時間を含む休憩時間）は、労働時間に含まないことから、図２に示すように、１２：００〜１２：４５（１２．００〜１２．７５）の間は「１２．００／１２．７５」として始業側目盛りと終業側目盛りを同一の線上で表して時間の長さを０としている。これによって、第２のスライド部材２０に記される労働時間２４を一定の間隔で順に記すことが可能となる。
【００２８】
上述のように、実施形態の簡易型計算装置１では、第１のスライド部材２０と第２のスライド部材３０を摺動させることによって、表示窓３２に表示された労働時間２４を確認できるので極めて容易な作業で短時間に１日の労働時間を記録することができる。しかも、この労働時間は、休憩時間を含まない実労働時間を示すものであるから、表示された数字を記録してそのまま合計するだけで１ヶ月の集計を行なうことができる。そのため、集計間違いを少なくすることができる。
【００２９】
また、第１のスライド部材２０と第２のスライド部材３０がそれぞれ本体部１０の第１の溝部１４又は第２の溝部１５内を摺動するため、第１のスライド部材２０と第２のスライド部材３０をガタツキの少ない安定した動きを行うことができる。
【００３０】
なお、この簡易型計算装置は上記の形態に限定するものではない。例えば、本体部に記載された一定間隔の時刻を表す数字において、下２桁を１００進法でなく分を表す数字で表示してもよい。さらに、始業指示目盛り２３、終業指示目盛り３１を、一定間隔で表示された時刻１１を表す数字の直前まで延設すれば、始業側目盛り１１１、終業側目盛り１１２を削除してもよい。さらに、実施形態では、第１の溝部１４と第２の溝部１５とを連接することなく形成しているが、連接して形成してもよい。
【００３１】
また、別の形態の簡易型計算装置１Ａは、図６に示すように、本体部１０Ａ、第１のスライド部材２０Ａ、第２のスライド部材３０Ａを円板状に形成している。第１のスライド部材２０Ａに形成した始業指示目盛り２３Ａと第２のスライド部材３０に形成した終業指示目盛り３１Ａを、本体部１０Ａに形成した所定の時刻１１Ａに合わせることによって、第２のスライド部材３０Ａに形成した表示窓３２Ａから、第１のスライド部材２０Ａに形成した労働時間２４Ａの一つを選択的に表示するようにもよい。この際、第１のスライド部材２０Ａ及び第２のスライド部材３０Ａに手動操作用の操作レバー２５、３３を設けておけば、容易な操作を行うことができる。
【図面の簡単な説明】
【００３２】
【図１】本発明の一形態を示す簡易型計算装置を示す正面図である。
【図２】図１の簡易型計算装置の本体部を示す正面図である。
【図３】同断面図である。
【図４】図１の簡易型計算装置の第１のスライド部材を示す正面図である。
【図５】図１の簡易型計算装置の第２のスライド部材を示す正面図である。
【図６】別の形態の簡易型計算装置を示す正面図である。
【符号の説明】
【００３３】
１、簡易型計算装置
１０、本体部
１１、時刻
１２、第１の開口窓
１３、第２の開口窓
１４、第１の溝部
１５、第２の溝部
２０、第１のスライド部材
２３、始業指示目盛り
２４、労働時間
３０、第２のスライド部材
３１、終業指示目盛り
３２、表示窓
【図１】
2008027212.tif 000003
【図２】
2008027212.tif 000004
【図３】
2008027212.tif 000005
【図４】
2008027212.tif 000006
【図５】
2008027212.tif 000007
【図６】
2008027212.tif 000008